(57)【要約】【課題】帳票印刷ソフトウェアの提供企業が、プリンタのメーカ及びソフトウェアの利用者に提供する自動プリンタ動作検証ソフトウェアの記録媒体と、それを用いたプリンタ制御ファイルによるプリンタ動作検証方法を提供する。【解決手段】プリンタメーカ及びそのプリンタ利用者に提供する自動プリンタ動作検証ソフトウェア及びそれを記録した記録媒体により、新機種プリンタの開発の際に、必要とする最小のテストにより、従来に比べて少ない動作検証時間で多くの検証項目を効率的に行うことができるＰＤＬ検証データと自動検証プログラムを備える。【選択図】図１
2006301747.tif 000002
【特許請求の範囲】
【請求項１】
新機種プリンタを開発したメーカ又は新たなプリンタを利用したい利用者のコンピュータにインストールし、そのプリンタの帳票印刷動作を確認すべき複数の条件を順次効率的に検証できるプリンタ動作検証プログラムを記録したコンピュータ読みとり可能な記録媒体であって、
その帳票印刷のオーバーレイ、ページ編集、表裏両面印刷、用紙の給紙・排紙トレイ指定、用紙サイズの切替え、用紙セパレート機能指定、高速大量印刷の各項目に対応するデータ変換を行う帳票印刷ソフトウェアにより、開発したプリンタに対する予め定められた帳票フォーム及びテキスト印刷処理条件による検証データを設定して、その開発メーカが使用しているＰＤＬを用いてプリンタ制御ファイルを作成し、更に、前記検証データを換えて複数回数プリンタ制御ファイルの生成を繰返し取得し、確認すべき動作検証が行えるプリンタ制御ファイル群と、
前記プリンタ制御ファイル群からその中のファイルを順次呼び出してプリンタ制御ファイル毎にプリンタの動作を実行させるＰＤＬ印刷プログラムと、
からなるプリンタ動作検証プログラムを記録したことを特徴とするプリンタ動作検証記録媒体。
【請求項２】
帳票印刷ソフトウェア提供企業のコンピュータシステムが作成したプリンタ動作検証プログラムを記録した記録媒体を、新機種・開発プリンタ製造メーカ又は新たなプリンタを利用したい利用者のパソコン端末で、前記記録媒体から前記プリンタ動作検証プログラムをインストールし、該プリンタを接続させて、そのプログラムを実行し、そのプリンタ印刷を検証する方法であって、
前記ソフトウェア提供企業のコンピュータシステムにおいて起動された帳票印刷ソフトウェアが、前記新機種・開発プリンタの仕様データを登録記憶部へ書き込むステップと、
前記帳票印刷ソフトウェアが該プリンタの帳票フォーム及び動作確認検証データを設定記憶部へ書き込むステップと、
前記帳票印刷ソフトウェアが、前記登録・設定記憶部から仕様・検証データを読み出してプログラムを実行し、当該プリンタに対応するＰＤＬを用いたプリンタ制御ファイルを生成するステップと、
前記帳票印刷ソフトウェアが、前記設定記憶部から、更に動作確認したい検証データを読み出したときは、前記プリンタの仕様データを登録記憶部へ書き込むステップとプリンタの帳票フォーム及び動作確認検証データを設定記憶部へ書き込むステップと当該プリンタに対応するＰＤＬを用いたプリンタ制御ファイルを生成するステップとを繰返して、その生成ファイルを加えたプリンタ制御ファイル群を作成するステップと、
前記帳票印刷ソフトウェアが、そのプリンタ制御ファイル群から選択したプログラムを呼び出す設定手段を有するＰＤＬ印刷プログラムを該ファイル群に加えてプリンタ動作検証プログラムとして記録媒体記録装置にセットされた媒体に記録する記録媒体作成ステップと、
前記記録媒体にプリンタ動作検証プログラムを記録する記録媒体作成ステップが完了したときは、自動的に前記ソフトウェア提供企業のコンピュータシステムが、前記プリンタ製造メーカ又は新たなプリンタを利用したい利用者のパソコン端末へインターネットを介して前記記録媒体の配送に関する報告電子メールを配信する配送事項報告ステップと、
前記プリンタ製造メーカ又は新たなプリンタを利用したい利用者のパソコン端末が記録媒体再生装置にセットされた前記記録媒体からプリンタ動作検証プログラムをインストールすると共に動作検証したいプリンタがその端末に接続されている信号を認識するステップと、
そのパソコン端末で起動された前記ＰＤＬ印刷プログラムが、前記プリンタ制御ファイル群の中から動作させるべきファイルを選択させる選択画面を表示部へ表示するステップと、
前記ＰＤＬ印刷プログラムが、表示画面中で選択されたファイルを順次実行し、当該プリンタに印刷出力させ実行したファイル毎の印刷結果のログファイルを記憶部へ記録させるステップと、
前記パソコン端末が、そのＰＤＬ印刷プログラムの終了信号を認識すれば、自動的に前記記憶部のログファイルを前記ソフトウェア提供企業のコンピュータシステムへ送信するステップと、
を少なくとも備えることを特徴とするプリンタ動作検証方法。
【請求項３】
帳票印刷ソフトウェア提供企業のコンピュータシステムからインターネットを経由して新機種・開発プリンタ製造メーカ又は新たなプリンタを利用したい利用者のパソコン端末に対してプリンタ動作検証プログラムを送信し、そのパソコン端末に接続しているプリンタの動作を検証する方法であって、
前記ソフトウェア提供企業のコンピュータシステムにおいて起動された帳票印刷ソフトウェアが、前記新機種・開発プリンタの仕様データを登録記憶部へ書き込むステップと、
前記帳票印刷ソフトウェアが該プリンタの帳票フォーム及び動作確認検証データを設定記憶部へ書き込むステップと、
前記帳票印刷ソフトウェアが、前記登録・設定記憶部から仕様・検証データを読み出してプログラムを実行し、当該プリンタに対応するＰＤＬを用いたプリンタ制御ファイルを生成するステップと、
前記帳票印刷ソフトウェアが、前記設定記憶部から、更に動作確認したい検証データを読み出したときは、前記プリンタの仕様データを登録記憶部へ書き込むステップとプリンタの帳票フォーム及び動作確認検証データを設定記憶部へ書き込むステップと当該プリンタに対応するＰＤＬを用いたプリンタ制御ファイルを生成するステップとを繰返して、その生成ファイルを加えたプリンタ制御ファイル群を作成するステップと、
前記帳票印刷ソフトウェアが、そのプリンタ制御ファイル群から選択したファイルを呼び出す設定記憶部を有するＰＤＬ印刷プログラムを該ファイル群に加えてプリンタ動作検証プログラムとして記憶部に記録するステップと、
前記ソフトウェア提供企業のコンピュータシステムが、前記記憶部より前記プリンタ動作検証プログラムを読出し、通信回線又はインターネットを経由して、前記プリンタ動作検証プログラムをプリンタ製造メーカ又は新たなプリンタを利用したい利用者のパソコン端末の記憶部へダウンロードするステップと、
前記プリンタ製造メーカ又は新たなプリンタを利用したい利用者のパソコン端末がダウンロードされた前記プリンタ動作検証プログラムを呼出して自動的にインストールすると共に動作検証したいプリンタがその端末に接続されている信号を認識するステップと、
そのパソコン端末が、その端末に接続されているプリンタの動作検証完了信号を検出すると、自動的に起動した前記ＰＤＬ印刷プログラムが予めそのＰＤＬ印刷プログラムに設定された複数の前記プリンタ制御ファイルを順次呼出しその都度実行させ、接続されているプリンタに印刷出力させるステップと、
そのＰＤＬ印刷プログラムが各ファイルを実行させる毎に、印刷結果のログファイルを記憶部に記録するステップと、
前記パソコン端末がそのログファイルをソフトウェア提供企業のコンピュータシステムへ通信回線又はインターネットを経由して送信させるステップと、
を少なくとも備えることを特徴とするプリンタ動作検証方法。
【発明の詳細な説明】
【技術分野】
【０００１】
本発明は、メーカが新機種のプリンタを開発し発売しようとする際に、そのプリンタに関する確認したい各種の動作検証が効率的に行えるように帳票印刷ソフトウェアを使用し、そのメーカの新機種に対する各種検証条件の検証データを設定し生成する機種対応毎の制御言語ＰＤＬ（Ｐａｇｅ  ｄｅｓｃｒｉｐｔｉｏｎ  ｌａｎｇｕａｇｅ）を用いて各種検証データ毎に作成したプリンタ制御ファイル群と、それらの印刷プログラムとを記録したコンピュータ読取り可能な記録媒体に関する。
また、この記録媒体をインストールし所定の検証データ及び印刷プログラムを起動させてプリンタ動作を検証するプリンタ動作検証方法に関する。
また、前記プリンタ制御ファイル群及びそれら印刷プログラムを新機種プリンタが接続されたコンピュータシステムへダウンロードし、その印刷プログラムを起動させて、所定の検証データを動作させ、それら検証結果のログファイルをそのコンピュータシステムから受信するプリンタ動作検証方法に関する。
【背景技術】
【０００２】
従来、帳票出力のオーバーレイ、ページ編集、表裏両面印刷、用紙の給紙・排紙トレイ指定、用紙サイズの切り替え、用紙セパレート機能指定等や高速大量印刷のためのデータ変換を行う帳票印刷ソフトウェアは、印刷の効率化のために多くの企業或いは個人利用者に利用されており、それらの帳票印刷ソフトウェアは、帳票印刷のコントロールと高速化のためプリンタメーカ毎に異なるＰＤＬによるプリンタ制御ファイルに変換する機能が備えられていた。
【０００３】
しかし、各プリンタメーカから新機種が発売された場合、帳票印刷ソフトウェアが用いているＰＤＬを用いたプリンタ制御がすべて正常に動作するか検証するためには、帳票印刷ソフトウェアをコンピュータにダウンロードして動作させ、帳票フォームと印刷テキスト等のデータからなる検証データをセットして、プリンタ及びその給紙、排紙トレイ等の確認項目毎のコントロール情報を入れ替えながら動作テストを行っていた。
また、従来利用しているプリンタであっても、給紙、排紙トレイ等のオプション装置を付加した場合も同様に動作テストを行っていた。
【０００４】
このため、プリンタメーカが新機種を開発・販売開始する際に、既存の自社プリンタ顧客が利用している帳票印刷ソフトウェアが、正常に動作するかを検証するためには、顧客が利用している帳票印刷ソフトウェアを購入する等して入手し、更に上述のようなテストを行わねばならなかった。このため、その動作検証に時間を要しており、また、多くの検証項目をもれなく行うことが困難であった。
同様に、帳票印刷ソフトウェアの利用顧客においても、自社ですでに使用しているプリンタがすべて帳票印刷ソフトウェアで生成されたＰＤＬを用いたプリンタ制御言語で動作するか否か、即ちプリンタが接続利用可能か否かを確かめるには上述のような作業を行わねばならなかった。
【０００５】
図７は、従来のプリンタ動作検証の流れを示す流れ図である。まず検証したいプリンタを接続したパソコン（パーソナルコンピュータ）等のＯＳ（Ｏｐｅｒａｔｉｎｇ  Ｓｙｓｔｅｍ）により帳票印刷ソフトウェアをインストールして起動する（Ｓ４１）。次に、接続したプリンタのメーカ、型式等を登録する（Ｓ４２）、次に、印刷する帳票フォームを登録する（Ｓ４３）、次に、プリンタに出力するテキストデータ処理、プリンタのトレイ制御等の検証データを登録する（Ｓ４４）、次に検証データから登録したプリンタのＰＤＬを用いたプリンタ制御ファイルを生成させる（Ｓ４５）、生成させたＰＤＬを用いたプリンタ制御ファイルをＰＤＬ印刷プログラムにより接続されているプリンタに出力させその印刷結果を検証する。（Ｓ４６）。次に、Ｓ４６の検証項目を終えたか判断し、更に確認すべき検証項目がある場合はＳ４４から繰り返す。
【０００６】
特許文献１には、電子制御システムにおいて、主要部の電子制御ユニットと、単体では機能しない別の付加回路ユニットであるモジュールとで構成するシステムの接続動作検証に関する方法が開示されている。この例では、電子制御システムとしての動作検証の自動化に関するものであるが、一般に数多く用いられている帳票印刷ソフトウェアと、各メーカから複数の種類発売されているプリンタのＰＤＬ制御レベルでの自動検証方法は提供されておらず、帳票印刷ソフトウェアの提供企業、プリンタメーカ、利用者のいずれもが、動作検証に多くの時間を費やしていた。
【０００７】
【特許文献１】特開２００４−２４６４２１号公報（第１図）
【発明の開示】
【発明が解決しようとする課題】
【０００８】
本発明は、上記の問題を解決するためになされたもので、帳票印刷ソフトウェアの提供企業が、テストのための各プリンタメーカの新型プリンタの調達を不要とすると共に検証作業をする工数を削減し、一方プリンタメーカは、帳票印刷ソフトウェア及び検証のためのデータ準備をしなくても発売前に適応する帳票印刷ソフトウェアの動作検証を費用と手間をかけずに行え、更に帳票印刷ソフトウェア及び各社のプリンタの利用者も自社の所有する各社のプリンタの動作検証を短時間で行えるようにするための、プリンタのメーカ及び該ソフトウェアの利用者に提供する自動プリンタ動作検証ソフトウェアを記録したプリンタ動作検証記録媒体を提供することを目的とする。
また、この動作検証記録媒体を用いたプリンタ制御ファイルによるプリンタ動作検証方法を提供することを目的とする。
また、ネットワークからプリンタ制御ファイルとその自動プリンタ動作検証ソフトウェアを受信し、自社が所有する各社のプリンタの動作検証を短時間で行えるプリンタ動作検証方法を提供することを目的とする。
【課題を解決するための手段】
【０００９】
前記課題を解決するため、本発明のプリンタ動作検証記録媒体は、新機種プリンタを開発したメーカ又は新たなプリンタを利用したい利用者のコンピュータにインストールし、そのプリンタの帳票印刷動作を確認すべき複数の条件を順次効率的に検証できるプリンタ動作検証プログラムを記録したコンピュータ読みとり可能な記録媒体であって、
その帳票印刷のオーバーレイ、ページ編集、表裏両面印刷、用紙の給紙・排紙トレイ指定、用紙サイズの切替え、用紙セパレート機能指定、高速大量印刷の各項目に対応するデータ変換を行う帳票印刷ソフトウェアにより、開発したプリンタに対する予め定められた帳票フォーム及びテキスト印刷処理条件による検証データを設定して、その開発メーカが使用しているＰＤＬを用いてプリンタ制御ファイルを作成し、更に、前記検証データを換えて複数回数プリンタ制御ファイルの生成を繰返し取得し、確認すべき動作検証が行えるプリンタ制御ファイル群と、前記プリンタ制御ファイル群からその中のファイルを順次呼び出してプリンタ制御ファイル毎にプリンタの動作を実行させるＰＤＬ印刷プログラムと、からなるプリンタ動作検証プログラムを記録したことを特徴とする。
【００１０】
また、本発明のプリンタ動作検証方法は、帳票印刷ソフトウェア提供企業のコンピュータシステムが作成したプリンタ動作検証プログラムを記録した記録媒体を、新機種・開発プリンタ製造メーカ又は新たなプリンタを利用したい利用者のパソコン端末で、前記記録媒体から前記プリンタ動作検証プログラムをインストールし、該プリンタを接続させて、そのプログラムを実行し、そのプリンタ印刷を検証する方法であって、
前記ソフトウェア提供企業のコンピュータシステムにおいて起動された帳票印刷ソフトウェアが、前記新機種・開発プリンタの仕様データを登録記憶部へ書き込むステップと、前記帳票印刷ソフトウェアが該プリンタの帳票フォーム及び動作確認検証データを設定記憶部へ書き込むステップと、前記帳票印刷ソフトウェアが、前記登録・設定記憶部から仕様・検証データを読み出してプログラムを実行し、当該プリンタに対応するＰＤＬを用いたプリンタ制御ファイルを生成するステップと、前記帳票印刷ソフトウェアが、前記設定記憶部から、更に動作確認したい検証データを読み出したときは、前記プリンタの仕様データを登録記憶部へ書き込むステップとプリンタの帳票フォーム及び動作確認検証データを設定記憶部へ書き込むステップと当該プリンタに対応するＰＤＬを用いたプリンタ制御ファイルを生成するステップとを繰返して、その生成ファイルを加えたプリンタ制御ファイル群を作成するステップと、前記帳票印刷ソフトウェアが、そのプリンタ制御ファイル群から選択したプログラムを呼び出す設定手段を有するＰＤＬ印刷プログラムを該ファイル群に加えてプリンタ動作検証プログラムとして記録媒体記録装置にセットされた媒体に記録する記録媒体作成ステップと、前記記録媒体にプリンタ動作検証プログラムを記録する記録媒体作成ステップが完了したときは、自動的に前記ソフトウェア提供企業のコンピュータシステムが、前記プリンタ製造メーカ又は新たなプリンタを利用したい利用者のパソコン端末へインターネットを介して前記記録媒体の配送に関する報告電子メールを配信する配送事項報告ステップと、前記プリンタ製造メーカ又は新たなプリンタを利用したい利用者のパソコン端末が記録媒体再生装置にセットされた前記記録媒体からプリンタ動作検証プログラムをインストールすると共に動作検証したいプリンタがその端末に接続されている信号を認識するステップと、そのパソコン端末で起動された前記ＰＤＬ印刷プログラムが、前記プリンタ制御ファイル群の中から動作させるべきファイルを選択させる選択画面を表示部へ表示するステップと、前記ＰＤＬ印刷プログラムが、表示画面中で選択されたファイルを順次実行し、当該プリンタに印刷出力させ実行したファイル毎の印刷結果のログファイルを記憶部へ記録させるステップと、前記パソコン端末が、そのＰＤＬ印刷プログラムの終了信号を認識すれば、自動的に前記記憶部のログファイルを前記ソフトウェア提供企業のコンピュータシステムへ送信するステップと、を少なくとも備えることを特徴とする。
【００１１】
また、帳票印刷ソフトウェア提供企業のコンピュータシステムからインターネットを経由して新機種・開発プリンタ製造メーカ又は新たなプリンタを利用したい利用者のパソコン端末に対してプリンタ動作検証プログラムを送信し、そのパソコン端末に接続しているプリンタの動作を検証する方法であって、
前記ソフトウェア提供企業のコンピュータシステムにおいて起動された帳票印刷ソフトウェアが、前記新機種・開発プリンタの仕様データを登録記憶部へ書き込むステップと、
前記帳票印刷ソフトウェアが該プリンタの帳票フォーム及び動作確認検証データを設定記憶部へ書き込むステップと、前記帳票印刷ソフトウェアが、前記登録・設定記憶部から仕様・検証データを読み出してプログラムを実行し、当該プリンタに対応するＰＤＬを用いたプリンタ制御ファイルを生成するステップと、前記帳票印刷ソフトウェアが、前記設定記憶部から、更に動作確認したい検証データを読み出したときは、前記プリンタの仕様データを登録記憶部へ書き込むステップとプリンタの帳票フォーム及び動作確認検証データを設定記憶部へ書き込むステップと当該プリンタに対応するＰＤＬを用いたプリンタ制御ファイルを生成するステップとを繰返して、その生成ファイルを加えたプリンタ制御ファイル群を作成するステップと、前記帳票印刷ソフトウェアが、そのプリンタ制御ファイル群から選択したファイルを呼び出す設定記憶部を有するＰＤＬ印刷プログラムを該ファイル群に加えてプリンタ動作検証プログラムとして記憶部に記録するステップと、前記ソフトウェア提供企業のコンピュータシステムが、前記記憶部より前記プリンタ動作検証プログラムを読出し、通信回線又はインターネットを経由して、前記プリンタ動作検証プログラムをプリンタ製造メーカ又は新たなプリンタを利用したい利用者のパソコン端末の記憶部へダウンロードするステップと、前記プリンタ製造メーカ又は新たなプリンタを利用したい利用者のパソコン端末がダウンロードされた前記プリンタ動作検証プログラムを呼出して自動的にインストールすると共に動作検証したいプリンタがその端末に接続されている信号を認識するステップと、そのパソコン端末が、その端末に接続されているプリンタの動作検証完了信号を検出すると、自動的に起動した前記ＰＤＬ印刷プログラムが予めそのＰＤＬ印刷プログラムに設定された複数の前記プリンタ制御ファイルを順次呼出しその都度実行させ、接続されているプリンタに印刷出力させるステップと、そのＰＤＬ印刷プログラムが各ファイルを実行させる毎に、印刷結果のログファイルを記憶部に記録するステップと、前記パソコン端末がそのログファイルをソフトウェア提供企業のコンピュータシステムへ通信回線又はインターネットを経由して送信させるステップと、を少なくとも備えることを特徴とする。
【発明の効果】
【００１２】
本発明によれば、帳票印刷ソフトウェアの提供企業は、プリンタメーカに予め自社の帳票印刷ソフトウェアで作成したプリンタ動作検証記録媒体を配布しておくことにより、プリンタメーカが新製品プリンタの開発発売に先立ち、容易に動作検証ができるため、自社で新製品プリンタの発売を待ち、購入してテストする費用と、時間を短縮することができる。
また、プリンタメーカ或いは帳票印刷ソフトウェアの利用企業においては、提供された本発明のプリンタ動作検証記録媒体をコンピュータにセットして実行させることにより短時間で動作検証を自動的に行わせることができる。このため、帳票印刷ソフトウェアの購入経費削減及びテストに要する時間を短縮させることができる。
【発明を実施するための最良の形態】
【００１３】
以下、本発明を実施するための最良の形態について図を参照して説明する。
図１は、プリンタ動作検証プログラム記録媒体１０のファイル構成を示す図である。
プリンタ動作検証プログラム記録媒体１０は、コンピュータにより読み出し可能な記録媒体、例えばＣＤ−ＲＯＭ等にプリンタ制御ファイル群１０ａとそれを呼出すＰＤＬ印刷プログラム１０ｂとが記録されたものである。
詳しくは、例えば新機種或いは開発したプリンタ（本実施形態ではページプリンタを例にして説明する）の仕様を登録し、そのプリンタメーカに対応するＰＤＬを用いたプリンタ制御ファイル群１０ａである。それらの各ファイルは動作確認したい各種検証データをそれぞれに設定し、帳票印刷ソフトウェアにより生成する。その生成については図２を参照して後述する。
【００１４】
図４に、その登録プリンタに対して各種動作を実行させる為のプリンタ制御ファイル群１０ａの各検証データの内容の一例を示す。
図４の例では、登録プリンタファイルが１７種の場合を示し、ファイル名の意味は図３のファイル名規約に示してある通りであって、各ファイルの内容は、この実施例では以下のようにそのプリンタに対して必要とする確認したい各種動作を全て検証できるようにしたものであり、これら登録プリンタファイル１７種を１セットとしてこの登録プリンタ動作検証ファイル群としている。
【００１５】
ファイル項番１は、まず検証しようとするページプリンタが使用状態にあるかを確認するため、最も標準的な動作で印刷出力させる検証データを設定し生成したファイルである。
ファイル項番２から５は、それぞれ給紙トレイナンバーを１から４に指定し、その動作を確認するファイルである。
ファイル項番６、７は、それぞれ排紙トレイナンバーを１、２に指定してその動作を確認するファイルである。
ファイル項番８は、表裏両面印刷指定を動作確認するファイルである。
ファイル項番９、１０は、印刷枚数を大量の１００枚、１０００枚に指定してその印刷速度を測定するファイルである。
ファイル項番１１、１２は、更に両面印刷を指定して、大量印刷時の速度を測定するファイルである。
ファイル項番１３は、フォームの内容をフォーム１（仕切伝票）、フォーム２（物品受領書）とし、フォーム１を給紙トレイＮｏ１、フォーム２を給紙トレイＮｏ２の用紙を取り出し印刷出力するファイルである。
ファイル項番１４、１５は、それぞれ用紙サイズＡ３、Ｂ５に印刷出力させるファイルである。
ファイル項番１６、１７は、それぞれセパレータ印刷確認のためであり項番１７は両面印刷とするファイルである。
【００１６】
図３は、図１に示したＰＤＬ印刷プログラム１０ｂを起動したときの動作検証用プリンタ制御ファイル群１０ａの各ファイル選択画面表示例を示す。
図３の選択画面の上側から、プリンタ制御ファイル群の各ファイル名が複数下側へ向かって配列されている。
それぞれのファイル名にはファイル選択ボタンを設け、利用者が必要とする動作検証用プリンタ制御ファイルを順次実行させることが出来る。
ファイル選択を行い、印刷ボタンを押下すれば、ＰＤＬ印刷プログラムは、前記選択ボタン順にプリンタ制御ファイルが接続されているプリンタに印字出力させると共に、出力したログファイルを記憶装置に記録させる。
【００１７】
以上のように、例えば開発したページプリンタメーカがパソコン端末に、そのプリンタを接続して動作を検証することが出来るが、プリンタメーカのＬＡＮ（Ｌｏｃａｌ  Ａｒｅａ  Ｎｅｔｗｏｒｋ）で接続した複数台のパソコン端末にそれぞれ各種のページプリンタを接続して、プリンタＩＰ（Ｉｎｔｅｒｎｅｔ  Ｐｒｏｔｏｃｏｌ）アドレスを替えて、順次各プリンタ動作を検証することも出来る。その場合「プリンタＩＰの変更」ボタンも表示装置内に備える。
【００１８】
なお、図３にあるファイル名規約により、そのファイル名を見れば、その検証データが何であるか分かるようにされている。
ファイル名は、１：帳票印刷ソフトウェアのバージョン、２：このＰＤＬファイルのバージョン、３：言語番号（プリンタメーカのＰＤＬ識別コードであり、メーカ毎に異なるコードである）、４：給紙トレイ番号（Ａはオート指定）、５：排紙トレイ番号（Ａはオート指定）、６：両面印刷指定（Ｓは片面、Ｄは両面）、７：出力用紙サイズ（Ａ４、Ａ３、Ｂ５）、８：フォーム名（物品受領書、仕切伝票等）、９：ページ数指定等からなる。
【００１９】
図２は、ページプリンタ動作検証方法の実施例の流れ図である。プリンタ開発或いは製造メーカのパソコン端末７０はソフトウェア提供企業のコンピュータシステム６０からプリンタ動作検証プログラム記録媒体１０の配送事項の電子メールによる報告を受ける。そのプリンタ動作検証プログラム記録媒体１０が配送されてから、そのプリンタ動作検証プログラム記録媒体に記録された動作検証プログラムをインストールしてそのプリンタの動作検証を行う方法の流れを示したものである。
この方法の流れで、プリンタ動作検証プログラム記録媒体配送の代わりに、プリンタ動作検証プログラムを電子メールの添付データとしてインターネット９０を介しコンピュータシステム６０からパソコン端末７０へ配信してもよい。
【００２０】
図２の左側のソフトウェア提供企業のコンピュータシステム６０の動作の流れＳ１〜Ｓ７は、プリンタ制御ファイル群１０ａと、ＰＤＬ印刷プログラム１０ｂとがＣＤ−ＲＯＭ等の記録媒体１０へ記録される状態を示す。
即ち、ソフトウェア提供企業のコンピュータシステム６０で、先ず帳票印刷ソフトウェアプログラムを起動する。（Ｓ１）
次に、その帳票印刷ソフトウェアプログラムの最初に表示される入力画面で、必要とする登録・項目の各項目に入力する。先ず、新機種・開発等のページプリンタの仕様・性能等を登録項目に入力し、ソフトウェア提供企業のコンピュータシステム６０はそれを登録記憶部へ書き込む。（Ｓ２）
次に、そのプリンタに印刷させる帳票フォーム（物品受領書、仕切伝票等）の設定項目を入力し（Ｓ３）、更に動作確認したい検証データの設定項目を入力し、ソフトウェア提供企業のコンピュータシステム６０はそれらの設定データを設定記憶部へ書き込む。（Ｓ４）
次に、その入力画面で実行ボタンを押下すると、ソフトウェア提供企業のコンピュータシステム６０は登録設定記憶部を読出して検証データでプリンタ印刷が動作する登録プリンタに対応するＰＤＬを用いたプリンタ制御ファイルを生成する。（Ｓ５）
【００２１】
次にソフトウェア提供企業のコンピュータシステム６０は、帳票印刷ソフトウェアの登録・設定項目を備えた入力画面から入力書込みされた設定データの記憶部を検索し、処理されていない確認したい検証データがあれば、更に、その検証データによるプリンタ動作検証ファイルを生成し（Ｓ７）、複数の検証データを処理してプリンタ動作検証用のプリンタ制御ファイル群１０ａを作成する。
更に、プリンタ動作検証用のプリンタ制御ファイル群１０ａから複数のファイルを順次呼び出して、プリンタに印刷出力させる設定手段を備え、その設定入力画面（例えば図３の表示画面）を設定したＰＤＬ印刷プログラム１０ｂを作成する。（Ｓ６）
なお、ここで作成されるファイル呼出しのＰＤＬ印刷プログラム１０ｂの設定は検証データの確認の都度行う必要はなく最後に一度書き込むだけでよい。
【００２２】
以上のプリンタ制御ファイル群１０ａとＰＤＬ印刷プログラム１０ｂをプリンタ動作検証プログラム（１０ａ＋１０ｂ）として、媒体記録装置に記録媒体（例えばＣＤ−ＲＯＭ等）をセットし記録する。（Ｓ８）
ソフトウェア提供企業のコンピュータシステム６０は、以上のように記録媒体１０に対してプリンタ動作検証プログラム（１０ａ＋１０ｂ）を記録する手段が完了した信号を受けると、自動的にプリンタ製造メーカのパソコン端末７０に対してインターネットを介して記録された記録媒体の配送に関する報告電子メールを配信する。（Ｓ９）
【００２３】
一方、配送に関する報告電子メールを受信したプリンタ開発・製造メーカのコンピュータ（又はパソコン端末）７０は、記録媒体再生装置にセットされたプリンタ動作検証プログラム記録媒体１０からプリンタ動作検証プログラム（１０ａ＋１０ｂ）をインストールする。（Ｓ１１）
更に、パソコン端末７０は、動作検証したいプリンタがその端末に接続されている信号を認識する。
以上の状態で、そのパソコン端末７０で起動されたＰＤＬ印刷プログラム１０ｂは、図３に示すように、プリンタ動作検証プログラム記録媒体１０に記録されているプリンタ制御ファイル群１０ａのファイル名が全て表示され、実行させたいファイルのみ順次自動的に呼出されて接続しているプリンタに印字出力される。（Ｓ１２、Ｓ１３）
【００２４】
図３の下側に示すように、ファイル名を見れば、その確認しようとする検証項目が利用者に分かるようになっている。
各ファイルについてのプリンタ印刷結果のログファイルは、その都度出力され（Ｓ１４）、記憶部へ記録される。
パソコン端末７０は、そのログファイルの記録が終了すると（Ｓ１５）自動的にソフトウェア提供企業のコンピュータシステム６０へそのログファイルデータを送信する。
【００２５】
次に、ページプリンタ動作検証方法の第２の実施例について図５、図６を参照して説明する。
第２実施例は、ソフトウェア提供企業のコンピュータシステム６０で生成されたプリンタ動作検証プログラム（１０ａ＋１０ｂ）を通信回線又はインターネットを介して直接プリンタ開発或は製造メーカのパソコン端末７０へダウンロードする場合を示す。
【００２６】
図５はその流れ図を示し、図６はその動作検証方法における通信回線又はインターネットを介するソフトウェア提供企業とプリンタ製造メーカのそれぞれのコンピュータの構成図を示す。
プリンタ開発・製造メーカのコンピュータ（又はパソコン端末）７０側には、動作を確認したいページプリンタ２０がインターフェース７６を介して接続されている。
ＬＡＮで接続された複数のパソコン端末７０にそれぞれ動作検証したいページプリンタ２０が接続されていてもよい。
図５の左側は、帳票印刷ソフトウェア提供企業のコンピュータシステム６０、右側はプリンタ製造メーカのパソコン端末７０のそれぞれの流れを示す。
図５のＳ２１〜Ｓ２６は、図２のＳ１〜Ｓ６とその方法の流れはまったく同じなので、その説明は省略する。
【００２７】
図５のＳ２７、Ｓ２８より第２実施例の流れ図の説明を行う。ソフトウェア提供企業のコンピュータシステム６０は、Ｓ２５でプリンタ制御ファイルが生成される都度、そのファイルを記憶装置６３へ追加蓄積して複数のプリンタ制御ファイル群１０ａとし、一方ＰＤＬ印刷プログラム１０ｂを更新して新しいＰＤＬ印刷プログラム１０ｂとする。
ここで、このＰＤＬ印刷プログラム１０ｂは、プリンタ制御ファイル群１０ａから選択したファイルを呼出す設定記憶部を備えるプログラム１０ｂである。
ファイル呼出しのＰＤＬ印刷プログラム１０ｂの設定は、図２のＳ６と同様に検証データの確認の都度行う必要はなく最後に一度書き込むだけでよい。
以上のようにして生成された、プリンタ制御ファイル群１０ａとＰＤＬ印刷プログラム１０ｂからなるプリンタ動作検証プログラム（１０ａ＋１０ｂ）を記憶装置６３より読出し通信回線又はインターネット９０を経由して、プリンタ動作検証プログラム（１０ａ＋１０ｂ）をプリンタ製造メーカのパソコン端末７０の記憶装置７３（図６参照）へダウンロードする。
【００２８】
一方、パソコン端末７０は、受信したプリンタ動作検証プログラム（１０ａ＋１０ｂ）を自動的にインストールすると共に、動作検証したいページプリンタ２０がそのパソコン端末７０にインターフェース７６を介して接続されているかを認識する信号をＣＰＵ７１に読込む。（Ｓ３１）（Ｓ３２）
インストールの完了信号と、ページプリンタ２０の接続認識信号とをＣＰＵ７１が受けとると自動的にＰＤＬ印刷プログラムを起動し、予め定められた順序（図３の例では上段のファイル名から下段に順次実行する）で接続されているページプリンタ２０へ印刷出力させる。（Ｓ３３）
そのＰＤＬ印刷プログラム１０ｂが各ファイルを実行させる毎に、印刷結果のログファイルを記憶装置７３へ記録させる。
パソコン端末７０は、そのログファイルをソフトウェア提供企業のコンピュータシステム６０へ通信回線又はインターネット９０を経由して返信させる。
【００２９】
このようにしてプリンタ動作検証結果のログファイルに異常を示す文言がなければ、その新機種・開発プリンタを利用する利用者或は販売店へ動作検証済であることを公表することができる。このため、早期に、新機種プリンタの動作検証がなされ、その結果、多くの利用者が個別に動作検証する無駄をなくすことができる。
【００３０】
以上の実施の形態の説明では、動作検証をプリンタ開発・製造メーカのコンピュータ（パソコン端末）で行う形態を説明したが、すでに発売されている複数の製造メーカの複数の機種を利用しているプリンタ利用企業が、プリンタ製造メーカのコンピュータ（パソコン端末）７０に代わるパソコン端末で同様に動作検証を行うことができることは勿論である。
利用企業が、動作検証を行うことによれば、すでに利用中の複数種類のプリンタが帳票印刷ソフトウェアを利用可能か容易に検証することができる。
【図面の簡単な説明】
【００３１】
【図１】プリンタ動作検証プログラム記録媒体のファイル構成を示す図である。
【図２】プリンタ動作検証方法（第１実施例）の流れ図である。
【図３】ＰＤＬ印刷プログラム起動による動作検証用プリンタ制御ファイル選択画面表示例である。
【図４】プリンタに対して各種動作を実行させるためのプリンタ制御ファイル群の各検証データ内容例である。
【図５】プリンタ動作検証方法（第２実施例）の流れ図である。
【図６】プリンタ動作検証方法（第２実施例）における通信回線を介する各コンピュータ構成を示す図である。
【図７】従来のページプリンタの動作検証の流れ図である。
【符号の説明】
【００３２】
１０    プリンタ動作検証プログラム記録媒体
１０ａ    プリンタ制御ファイル群
１０ｂ    ＰＤＬ印刷プログラム
１０ａ＋１０ｂ    プリンタ動作検証プログラム
２０    ページプリンタ
６０    ソフトウェア提供企業のコンピュータシステム
７０    プリンタ製造メーカのコンピュータ、パソコン端末
９０    通信回線又はインターネット
【図１】
2006301747.tif 000003
【図２】
2006301747.tif 000004
【図３】
2006301747.tif 000005
【図４】
2006301747.tif 000006
【図５】
2006301747.tif 000007
【図６】
2006301747.tif 000008
【図７】
2006301747.tif 000009